Podtech/llm-jp-corpus-v4-ja_patent huggingface dataset:
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
対象物の少なくとも一部の挙動を監視するための方法であって、
(a)第１座標系における所定のセンシング表面に対する対象物の少なくとも一部の挙動を示す測定データを提供する段階と、
(b)前記第１座標系における前記センシング表面に対する前記対象物の少なくとも一部の挙動を示す前記測定データを処理し、前記測定データを仮想座標系における前記対象物の少なくとも一部の挙動の近似的表現に変換する段階と、
を含み、
前記対象物の少なくとも一部の挙動は、手、指、複数の指の少なくとも１つの少なくとも一部であり、
前記測定データは、三次元空間における前記挙動を示し、
前記所定のセンシング表面は、前記測定データを生成する近接センサマトリックスの表面であり、
前記近接センサマトリックスは、接触モードまたは非接触モードのどちらにおいても前記測定データを生成可能であり、
前記変換は、前記仮想座標系における仮想点と、前記第１座標系における前記対象物の対応する部分と、の間の位置関係を維持し、
前記変換は、前記対象物の少なくとも一部の位置を、前記センシング表面と相対的に示していることを特徴とする方法。
【請求項２】
前記近似的表現を示すデータを、前記仮想座標系に関連付けられている遠隔位置に伝送する段階を含むことを特徴とする請求項1に記載の方法。
【請求項３】
対象物の少なくとも一部と、センシング表面との間の電界を操作する段階を具備し、
前記所定のセンシング表面は、センサパッドのアレイにより形成されている容量性近接センサマトリックスの表面であり、
前記操作は、前記センシング表面が少なくとも１つの導電性材料とカップリングすることにより提供されることを特徴とする請求項1または2のいずれか一項に記載の方法。
【請求項４】
前記挙動を示す前記測定データは、前記所定のセンシング表面に対する前記対象物の部分の位置の変化を含むことを特徴とする請求項1から3のいずれか一項に記載の方法。
【請求項５】
前記近似的表現は、三次元座標系における前記対象物の少なくとも一部の前記挙動を示していることを特徴とする請求項1から4のいずれか一項に記載の方法。
【請求項６】
前記遠隔位置における前記仮想座標系は、表示ユニットに関連付けられることを特徴とする請求項1から5のいずれか一項に記載の方法。
【請求項７】
前記処理する段階は、低分解能イメージを通じて、前記対象物の少なくとも一部を監視する段階を含むことを特徴とする請求項1から6のいずれか一項に記載の方法。
【請求項８】
対象物の挙動を監視する際に使用するためのデバイスであって、
所定のセンシング表面に関連付けられている第１座標系における前記対象物の少なくとも一部の挙動を示す測定データを受信するように構成されたデータ入力モジュールと、
前記変換が仮想点と前記対象物の一部に対応する部分との間の位置関係を維持されるように、前記測定データに応答し前記測定データを仮想座標系における前記対象物の少なくとも一部の近似的表現に変換するように構成され、かつそのように動作可能であるデジタルシグナルプロセッサと、
監視ユニットの前記データ入力モジュールにリンクされ、前記センシング表面および前記第１座標系を画定し、前記第１座標系内の前記対象物の少なくとも一部の前記挙動を示す前記測定データを前記センシング表面と相対的に生成するように構成され、かつそのように動作可能である位置センサデバイスと、
を備え、
前記対象物の少なくとも一部の挙動は、手、指、複数の指の少なくとも１つの少なくとも一部であり、
前記測定データは、三次元空間における前記挙動を示し、
前記近似的表現への変換は、対象物の少なくとも一部の位置を、前記センシング表面と相対的に示し、
前記位置センサデバイスは、接触モードと非接触モードのうちの一方またはその両方の組み合わせで前記測定データを生成可能な近接センサマトリックスを備えていることを特徴とするデバイス。
【請求項９】
前記対象物の少なくとも一部の前記表現を示すデータを前記仮想座標系に関連付けられている遠隔位置に伝送するように構成された送信機ユニットを備え、
前記データは、IRモード、Bluetooth（登録商標）モード、RFモード、および音響伝達モードのうちの少なくとも1つで伝送されることを特徴とする請求項8に記載のデバイス。
【請求項１０】
前記デジタルシグナルプロセッサは、前記センシング表面から離れた高さにおける複数の指の挙動を監視するように構成されるとともにそのように動作可能であることを特徴とする請求項8または9に記載のデバイス。
【請求項１１】
少なくとも１つの導電性材料で作られているアレンジメントは、前記センシング表面と結合されており、
前記所定のセンシング表面は、センサパッドのアレイにより形成されている容量性近接センサマトリックスの表面であることを特徴とする請求項8から10のいずれか一項に記載のデバイス。
【請求項１２】
前記センシング表面の後ろ及び側面の少なくとも１つは、前記アレンジメントに関連していることを特徴とする請求項11に記載のデバイス。
【請求項１３】
前記センサパッドのアレイのそれぞれのパッドは、前記アレンジメントにより囲まれていることを特徴とする請求項11または12に記載のデバイス。
【請求項１４】
前記対象物の少なくとも一部の前記近似的表現を表示するように構成されている表示ユニットを具備することを特徴とする請求項8から13のいずれか一項に記載のデバイス。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
Ａ）芳香族ポリカーボネートおよび／または芳香族ポリエステルカーボネートを、Ａ）およびＢ）の総量に対して５２〜９５重量部、および
Ｂ）バルク、溶液またはバルク懸濁重合プロセスによって調製された、ゴム変性グラフトポリマーを、Ａ）およびＢ）の総量に対して５〜４８重量部、
０を超えそして４ｐｐｍ以下の量のリチウム、および
それぞれ１．５ｐｐｍを超える量のナトリウムおよび／またはカリウム、
を含む、熱可塑性成形組成物。
【請求項２】
リチウムの量が、０を超えそして４ｐｐｍ以下であり、および
ナトリウムおよび／またはカリウムの量が、それぞれ１．５ｐｐｍを超え、
但し、ナトリウムおよびカリウム両方の含有量が、それぞれ１００ｐｐｍを超えないことを条件とする、
請求項１記載の熱可塑性成形組成物。
【請求項３】
リチウムの含有量が、０．２ｐｐｍ〜３．６ｐｐｍである、請求項１または２いずれかに記載の組成物。
【請求項４】
前記ゴム変性グラフトポリマーが、
Ｂ．１  Ｂ）に対して６５〜９５重量％である、下記混合重合物
Ｂ．１．１  ビニル芳香族および環置換ビニル芳香族からなる群から選択される少なくとも１種を、Ｂ．１）に対して５０〜９９重量％
Ｂ．１．２  シアン化ビニル、（メタ）アクリル酸（Ｃ１−Ｃ８）アルキルエステルおよび不飽和カルボン酸誘導体からなる群から選択される少なくとも１種を、Ｂ．１）に対して１〜５０重量％、
の、
Ｂ．２  Ｂ）に対して５〜３５重量％である、ガラス転移温度−１０℃未満である１種またはそれ以上のグラフトベース、
への、グラフト物、
を含む、
請求項１〜３いずれかに記載の組成物。
【請求項５】
Ｂ．２）が、ポリブタジエンゴムおよびポリブタジエン／スチレンゴムからなる群から選択される少なくとも１種である、請求項４に記載の組成物。
【請求項６】
エマルション重合によって調製されたグラフトポリマーＤをさらに含む、請求項１または２記載の組成物。
【請求項７】
成形組成物中における前記リチウムの含有量が、０．３〜３．２ｐｐｍであり
成形組成物中における前記ナトリウムおよび／またはカリウムの含有量が、それぞれ２ｐｐｍを超える量であり、および
ナトリウムおよびカリウム両方の含有量が、それぞれ１０ｐｐｍを超えない量である、
請求項１記載の組成物。
【請求項８】
請求項１〜７いずれかに記載の組成物を含む成形品。
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
バイオマスの成分の分画のためのシステムであって、
すり潰されたバイオマスを前記システム内に受け入れるためのバイオマス装填及び投棄ステーションと、
すり潰されたバイオマスを圧縮するための加熱される粉砕処理ステーションと、
残留炭素およびバイオ炭を収集するためのバイオ炭投棄ステーションと、
複数のバイオマス反応区画と、
を備えており、前記複数のバイオマス反応区画は、ステーションからステーションにすり潰されたバイオマスを運ぶことを特徴とするシステム。
【請求項２】
前記バイオマス装填及び投棄ステーションが、
すり潰されたバイオマスを収容し流し込むためのホッパーと、
このホッパーからすり潰されたバイオマスを排出するためのディスペンサーと、
このディスペンサーからすり潰されたバイオマスを受け入れるエアロックと、
すり潰されたバイオマスを前記バイオマス装填及び投棄ステーション内で移動するための移送機構と、
を備えていることを特徴とする請求項１に記載のシステム。
【請求項３】
前記加熱される粉砕処理ステーションは、前記すり潰されたバイオマスを脱水するために、このすり潰されたバイオマスを加熱することを特徴とする請求項１に記載のシステム。
【請求項４】
前記加熱される粉砕処理ステーションは、電気による発熱体と、直火燃焼と、加熱された作動ガスの方向づけられた噴射と、超臨界流体の方向づけられた噴射とのいずれかによって前記すり潰されたバイオマスを加熱することを特徴とする請求項１に記載のシステム。
【請求項５】
前記加熱される粉砕処理ステーションは、生物的中間化合物を収集するために前記すり潰されたバイオマスを加熱することを特徴とする請求項１に記載のシステム。
【請求項６】
前記加熱される粉砕処理ステーションは、前記すり潰されたバイオマスが粉砕される間にこのすり潰されたバイオマスを圧縮することを特徴とする請求項１に記載のシステム。
【請求項７】
前記複数のバイオマス反応区画は、一または複数のディスクとして構成されていることを特徴とする請求項１に記載のシステム。
【請求項８】
前記複数のバイオマス反応区画は、相互に連結された一連の複数のプレートとして構成されていることを特徴とする請求項１にシステム。
【請求項９】
前記相互に連結された一連の複数のプレートが、楕円形状に構成されていることを特徴とする請求項８に記載のシステム。
【請求項１０】
バイオマスの成分を分画する方法であって、
バイオマスを細断し、第一のバイオマスを生成する工程と、
前記第一のバイオマスを複数のバイオマス反応区画のうちの一つを経由させて投入ホッパー内に装填する工程と、
前記第一のバイオマスを脱水しかつ粉砕する工程と、
沸点の低い生物的化合物および熱分解フラグメントを放出するために前記第一のバイオマスを更に加熱する工程と、
前記複数のバイオマス反応区画のうちの一つから残留炭素およびバイオ炭を出口ホッパーに掻き出す工程と、
を備えていることを特徴とするバイオマスの成分を分画する方法。
【請求項１１】
次のバイオマス反応区画は、前記第一のバイオマスが脱水されている間に第二のバイオマスが装填されることを特徴とする請求項１０に記載の方法。
【請求項１２】
バイオマスの成分を分画するための方法であって、
バイオマスを、すり潰されたバイオマスの薄いシート状にして排出する工程と、
前記薄いシートを温度上昇に晒す工程と、
様々な化合物群が前記薄いシートから放出されるときにこれらの化合物群を選択的に収集する工程と、
を備えることを特徴とするバイオマスの成分を分画する方法。
【請求項１３】
前記温度上昇は、一定の範囲の時間、圧力、または局所的な作動ガスの組成に亘って上昇することを特徴とする請求項１２に記載のバイオマスの成分を分画する方法。
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
被験体における糖尿病または肥満症を治療するための、式（Ｉ）
【化１】
2012515801.tif 000001
[式中、
各Ｒ１、Ｒ２、Ｒ３およびＲ４は、独立して、Ｈ、ＯＲａ、アミノ基、ハロゲン基、アルコキシカルボニル基、アルキルチオ基、アルキルアミノ基、アルキル基、アルケニル基、アルキニル基、−（Ｇ）ｘ、−Ｏ−（Ｇ）ｘまたはＲｂ−Ｏ−（Ｇ）ｘであり、各Ｒａ及びＲｂが独立に、Ｈ、アルキル基、アルケニル基、アルキニル基、シクロアルキル基、ヘテロシクロアルキル基、アリール基、またはヘテロアリール基であり、Ｇが単糖残基であり、ｘが１から４の整数である；
各Ｒ５、Ｒ６、Ｒ７およびＲ８は、独立して、Ｈ、ＯＲｃ、アミノ基、ニトロ基、シアノ基、ハロゲン基、アルコキシカルボニル基、アルキルチオ基、アルキルアミノ基、アルキル基、アルケニル基、アルキニル基、アリール基、ヘテロアリール基、シクロアルキル基、ヘテロシクロアルキル基、−（Ｇ）ｘ、−Ｏ−（Ｇ）ｘまたはＲｄ−Ｏ−（Ｇ）ｘであり、各Ｒｃ及びＲｄがＨ、アルキル基、アルケニル基、アルキニル基、シクロアルキル基、ヘテロシクロアルキル基、アリール基、またはヘテロアリール基であるか、またはＲ５、Ｒ６、及びそれらが結合している２個の炭素原子が共同で所望により１、２または３個のヘテロ原子を含む３〜８員環を形成するか、またはＲ６、Ｒ７、及びそれらが結合している２個の炭素原子が共同で所望により１、２または３個のヘテロ原子を含む３〜８員環を形成するか、またはＲ７、Ｒ８、及びそれらが結合している２個の炭素原子が共同で所望により１、２または３個のヘテロ原子を含む３〜８員環を形成する；および、
Ｘは、Ｃ（Ｏ）、Ｃ（Ｓ）、Ｓ（Ｏ）、ＣＯＨ、Ｃ（ＲｅＲｅ'）、またはＣ（ＮＲｆ）であり、各Ｒｅ及びＲｅ'が独立に、Ｈ、アルキル基、またはシアノ基であり、ＲｆがＨ、ＯＲａ、アミノ基、ハロゲン基、アルコキシカルボニル基、アルキルチオ基、アルキルアミノ基、アルキル基、アルケニル基またはアルキニル基である]
で表されるプテロシン化合物の有効量を含む、医薬組成物。
【請求項２】
前記糖尿病が１型または２型糖尿病である、請求項１に記載の医薬組成物。
【請求項３】
ＸがＣ（Ｏ）またはＣＨ２である、請求項１に記載の医薬組成物。
【請求項４】
各Ｒ１、Ｒ２、Ｒ３およびＲ４が、独立して、Ｈ、ＯＲａ、−（Ｇ）ｘ、−Ｏ−（Ｇ）ｘ、Ｒｂ−Ｏ−（Ｇｘ）、または所望によりハロゲン基、ＣＯＯＲｇ、ＯＲｇで置換されたアルキル基であり、ＲｇがＨ、アルキル基、シクロアルキル基、ヘテロシクロアルキル基または保護基である、請求項１−３のいずれか一項記載の医薬組成物。
【請求項５】
各Ｒ５、Ｒ６、Ｒ７およびＲ８が、独立して、Ｈ、ＯＲｃ、−（Ｇ）ｘ、−Ｏ−（Ｇ）ｘ、Ｒｄ−Ｏ−（Ｇ）ｘ、または所望によりハロゲン基、ＣＯＯＲｇ、ＯＲｇで置換されたアルキル基であり、ＲｇがＨ、アルキル基、シクロアルキル基、ヘテロシクロアルキル基または保護基である、請求項１−４のいずれか一項記載の医薬組成物。
【請求項６】
前記プテロシン化合物が、化合物１〜８４のいずれかである、請求項１に記載の医薬組成物。
【請求項７】
前記プテロシン化合物が、化合物１、４、５、７、１０、１２、１５、１７、２８、６３、および７１〜７５のいずれかである、請求項１に記載の医薬組成物。
【請求項８】
経口投与または注射投与される、請求項１−７のいずれか一項記載の医薬組成物。
【請求項９】
前記被験体が肥満である、請求項１−８のいずれか一項記載の医薬組成物。
【請求項１０】
前記プテロシン化合物が単離されたプテロシン化合物である、請求項１−９のいずれか一項記載の医薬組成物。
【請求項１１】
前記プテロシン化合物が、コバノイシカグマ科またはイノモトソウ科のワラビから製造されたシダ類産物に存在する、請求項１−９のいずれか一項記載の医薬組成物。
【請求項１２】
前記ワラビが、ツルカグマ（Ｄｅｎｎｓｔａｅｄｔｉａ  ｓｃａｎｄｅｎｓ）、ユノミネシダ（Ｈｉｓｔｉｏｐｔｅｒｉｓ  ｉｎｃｉｓａ）、ウスバオオイシカグマ（Ｍｉｃｒｏｌｅｐｉａ  ｓｐｅｌｕｎｃａｅ）、ワラビ（Ｐｔｅｒｉｄｉｕｍ  ａｑｕｉｌｉｎｕｍ  ｖａｒ． ｌａｔｉｕｓｃｕｌｕｍ）、ランダイワラビ（Ｐｔｅｒｉｄｉｕｍ  ｒｅｖｏｌｕｔｕｍ）、イワヒメワラビ（Ｈｙｐｏｌｅｐｉｓ  ｐｕｎｃｔａｔａ）、 ミズワラビ（Ｃｅｒａｔｏｐｔｅｒｉｓ  ｔｈａｌｉｃｔｒｏｉｄｅｓ）、ハチジョウシダ（Ｐｔｅｒｉｓ  ｆａｕｒｉｅｉ）、オオアマクサシダ（Ｐｔｅｒｉｓ  ｄｉｍｉｄｉａｔａ）、ホコシダ（Ｐｔｅｒｉｓ  ｅｎｓｉｆｏｒｍｉｓ）を含む群から選択される、請求項１１に記載の医薬組成物。
【請求項１３】
前記被験体の血清脂質またはコレステロールの濃度を低下するのに十分である、請求項１−１２いずれか一項記載の医薬組成物。
【手続補正書】
【提出日】平成25年1月15日(2013.1.15)
【手続補正１】
【補正対象書類名】明細書
【補正対象項目名】００４０
【補正方法】変更
【補正の内容】
【００４０】
【表１】
2012515853.tif 000001
2012515853.tif 000002
次に、本発明の好ましい態様を示す。
１．耐切断性編成手袋において、
ａ）少なくとも２本のコア糸を含むコアと、前記コアのまわりにらせん状に捲回された少なくとも１本の第１のラッピング糸とを有する耐切断性複合糸であって、
前記コア糸は少なくとも１本の５０〜６００デニール（５６〜６８０ｄｔｅｘ）のガラス繊維フィラメント糸と、少なくとも１本の１００〜６００デニール（１１０〜６８０ｄｔｅｘ）のパラアラミド糸とを含み；
前記第１のラッピング糸は、パラアラミド、脂肪族ポリアミド、ポリエステルおよびそれらの混合物からなる群から選択された、少なくとも１本の１００〜６００デニール（１１０〜６８０ｄｔｅｘ）の糸を含む、耐切断性複合糸と；
ｂ）パラアラミドを含む１００〜１８００デニール（１１０〜２０００ｄｔｅｘ）の線密度を有する随伴糸と；
ｃ）ライニング糸であって、
ｉ）少なくとも１本のエラストマ糸を含むエラストマ糸コアと、前記糸コアのまわりにらせん状に捲回された少なくとも１本の第２のラッピング糸とを有する１００〜５００デニール（１１０〜５６０ｄｔｅｘ）の複合糸であって、前記の第２のラッピング糸は、脂肪族ポリアミド、ポリエステル、天然繊維、セルロース系繊維およびそれらの混合物からなる群から選択された、少なくとも１本の２０〜３００デニール（２２〜３４０ｄｔｅｘ）の糸を含んでいる、複合糸、または
ｉｉ）  脂肪族ポリアミド繊維、ポリエステル繊維、天然繊維、セルロース系繊維およびそれらの混合物からなる群から選択された、１００〜１２００デニール（１１０〜１３００ｄｔｅｘ）の糸、
のいずれか一方を含むライニング糸と；
を含む耐切断性編成手袋であって、
前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている、耐切断性編成手袋。
２．前記パラアラミド糸がステープル繊維または連続フィラメントを含む、前記１に記載の耐切断性編成手袋。
３．前記パラアラミドがポリ（パラフェニレンテレフタルアミド）である前記１に記載の耐切断性編成手袋。
４．１００以上という耐切断性指数をさらに有する、前記１に記載の耐切断性編成手袋。
５．１平方ヤードあたり１４〜２４オンスの編成ファブリック坪量を有する、前記４に記載の耐切断性編成手袋。
６．ニトリル、ラテックス、ポリウレタン、ネオプレン、ゴムおよびそれらの混合物からなる群から選択された外部合成ポリマーコーティングをさらに含む、前記１に記載の耐切断性編成手袋。
【手続補正２】
【補正対象書類名】特許請求の範囲
【補正対象項目名】全文
【補正方法】変更
【補正の内容】
【特許請求の範囲】
【請求項１】
耐切断性編成手袋において、
ａ）少なくとも２本のコア糸を含むコアと、前記コアのまわりにらせん状に捲回された少なくとも１本の第１のラッピング糸とを有する耐切断性複合糸であって、
前記コア糸は少なくとも１本の５０〜６００デニール（５６〜６８０ｄｔｅｘ）のガラス繊維フィラメント糸と、少なくとも１本の１００〜６００デニール（１１０〜６８０ｄｔｅｘ）のパラアラミド糸とを含み；
前記第１のラッピング糸は、パラアラミド、脂肪族ポリアミド、ポリエステルおよびそれらの混合物からなる群から選択された、少なくとも１本の１００〜６００デニール（１１０〜６８０ｄｔｅｘ）の糸を含む、耐切断性複合糸と；
ｂ）パラアラミドを含む１００〜１８００デニール（１１０〜２０００ｄｔｅｘ）の線密度を有する随伴糸と；
ｃ）ライニング糸であって、
ｉ）少なくとも１本のエラストマ糸を含むエラストマ糸コアと、前記糸コアのまわりにらせん状に捲回された少なくとも１本の第２のラッピング糸とを有する１００〜５００デニール（１１０〜５６０ｄｔｅｘ）の複合糸であって、前記の第２のラッピング糸は、脂肪族ポリアミド、ポリエステル、天然繊維、セルロース系繊維およびそれらの混合物からなる群から選択された、少なくとも１本の２０〜３００デニール（２２〜３４０ｄｔｅｘ）の糸を含んでいる、複合糸、または
ｉｉ）  脂肪族ポリアミド繊維、ポリエステル繊維、天然繊維、セルロース系繊維およびそれらの混合物からなる群から選択された、１００〜１２００デニール（１１０〜１３００ｄｔｅｘ）の糸、
のいずれか一方を含むライニング糸と；
を含む耐切断性編成手袋であって、
前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている、耐切断性編成手袋。
【手続補正書】
【提出日】平成25年1月15日(2013.1.15)
【手続補正１】
【補正対象書類名】明細書
【補正対象項目名】００２７
【補正方法】変更
【補正の内容】
【００２７】
【表１】
2012515855.tif 000001
次に、本発明の好ましい態様を示す。
１．  ａ）少なくとも２本のコア糸を含むコアと前記コアのまわりにらせん状に捲回された少なくとも１本の第１のラッピング糸とを有する耐切断性複合糸であって、
前記コア糸は少なくとも１本の５０〜４００デニール（５６〜４４０ｄｔｅｘ）のガラス繊維フィラメント糸と、少なくとも１本の２００〜８００デニール（２２０〜８９０ｄｔｅｘ）のパラアラミド糸とを含み；
前記第１のラッピング糸は、脂肪族ポリアミド、ポリエステルおよびそれらの混合物からなる群から選択された、少なくとも１本の１００〜８００デニール（１１０〜８９０ｄｔｅｘ）の糸を含む、耐切断性複合糸と；
ｂ）脂肪族ポリアミド、ポリエステル、天然繊維、セルロース系繊維およびそれらの混合物からなる群から選択された、２００〜１６００デニール（２２０〜１８００ｄｔｅｘ）の随伴糸と；
ｃ）脂肪族ポリアミド繊維、ポリエステル繊維、天然繊維、セルロース系繊維およびそれらの混合物からなる群から選択された、５００〜１２００デニール（５６０〜１３００ｄｔｅｘ）の複合糸を含むライニング糸と；
を含む耐切断性編成手袋であって、前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている耐切断性編成手袋。
２．  前記パラアラミド糸がステープル繊維または連続フィラメントを含む、上記１に記載の耐切断性編成手袋。
３．  前記パラアラミドがポリ（パラフェニレンテレフタルアミド）である上記１に記載の耐切断性編成手袋。
４．  ファブリック１平方ヤード１オンスあたり１００グラム重以上（ファブリック１平方メートル１グラムあたり３グラム重以上）という耐切断性指数をさらに有する、上記１に記載の耐切断性編成手袋。
５．  １平方ヤードあたり１４〜２４オンス（１平方メートルあたり４７５〜８１５グラム）の編成ファブリック坪量を有する、上記４に記載の耐切断性編成手袋。
６．  ニトリル、ラテックス、ポリウレタン、ネオプレン、ゴムおよびそれらの混合物からなる群から選択された外部合成ポリマーコーティングをさらに含む、上記１に記載の耐切断性編成手袋。
【手続補正２】
【補正対象書類名】特許請求の範囲
【補正対象項目名】全文
【補正方法】変更
【補正の内容】
【特許請求の範囲】
【請求項１】
ａ）少なくとも２本のコア糸を含むコアと前記コアのまわりにらせん状に捲回された少なくとも１本の第１のラッピング糸とを有する耐切断性複合糸であって、
前記コア糸は少なくとも１本の５０〜４００デニール（５６〜４４０ｄｔｅｘ）のガラス繊維フィラメント糸と、少なくとも１本の２００〜８００デニール（２２０〜８９０ｄｔｅｘ）のパラアラミド糸とを含み；
前記第１のラッピング糸は、脂肪族ポリアミド、ポリエステルおよびそれらの混合物からなる群から選択された、少なくとも１本の１００〜８００デニール（１１０〜８９０ｄｔｅｘ）の糸を含む、耐切断性複合糸と；
ｂ）脂肪族ポリアミド、ポリエステル、天然繊維、セルロース系繊維およびそれらの混合物からなる群から選択された、２００〜１６００デニール（２２０〜１８００ｄｔｅｘ）の随伴糸と；
ｃ）脂肪族ポリアミド繊維、ポリエステル繊維、天然繊維、セルロース系繊維およびそれらの混合物からなる群から選択された、５００〜１２００デニール（５６０〜１３００ｄｔｅｘ）の複合糸を含むライニング糸と；
を含む耐切断性編成手袋であって、前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている耐切断性編成手袋。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
管類の欠陥を包括的に監視、解析、および管理するシステムであって、
ロケール解析装置と管類の欠陥を特定する検出分類部とを含むコンピュータプラットフォームであって、該コンピュータプラットフォームのアーキテクチャは、自動解析タスクの並列実行を可能とする分散処理システムを含む、前記コンピュータプラットフォームと、
特定のデータストリーム・クラスに関してデータを解析するチャンネルエイリアシング手段と、
解析者設定規則を自動的に適用して、高確率の検出結果自動解析方法の使用に起因するオーバーコールの形態を低減する自動最終受け入れ手段と、
前記管類および関連する構成要素の特定領域に対する設定を生成するロケールマッピング手段であって、標識境界の補正と、関連する複数の解析ロケールへの損傷メカニズムのマッピングと、拡張遷移検出、適応閾値検出、および位置決め手順を含むアルゴリズムとを実行する前記ロケールマッピング手段と
を備えるシステム。
【請求項２】
アルゴリズムトレーニング用インターフェースをさらに備える、請求項１に記載のシステム。
【請求項３】
前記検出分類部が、前記管類の電圧、角度、深さ、および長さの頻度間の比率または差異に関する複数の測定結果を含む、請求項１に記載のシステム。
【請求項４】
管類の欠陥を包括的に監視、解析、および管理する方法であって、
コンピュータプラットフォーム上で履歴データおよび取得データをロードおよび校正すること、
ロケールによって前記履歴データおよび取得データをソートすること、
前記データをマッピングして、前記管類および関連する構成要素の特定領域に対する設定を生成すること、
前記マッピングしたデータに基づいて欠陥を検出すること、
電圧、角度、深さ、および長さからなる群のうちの少なくとも一つの頻度間の少なくとも一つの比率または直接差異に関する測定結果を用いて前記欠陥を分類すること、
解析者設定規則を適用して、オーバーコールを低減するとともに、複数の冗長な結果の中から単一の最終結果を選択して報告すること
を含む方法。
【請求項５】
チャンネルエイリアスを利用して、特定のデータストリーム・クラスのデータを解析可能とすることをさらに含む、請求項４に記載の方法。
【請求項６】
前記マッピングすることが、標識境界の補正を実行することを含む、請求項４に記載の方法。
【請求項７】
前記マッピングすることが、関連する複数の解析ロケールへ損傷メカニズムをマッピングすることを含む、請求項４に記載の方法。
【請求項８】
前記マッピングすることが、拡張遷移検出を含むアルゴリズムを実行することを含む、請求項４に記載の方法。
【請求項９】
前記マッピングすることが、適応閾値検出を含むアルゴリズムを実行することを含む、請求項４に記載の方法。
【請求項１０】
前記マッピングすることが、位置決め手順を含むアルゴリズムを実行することを含む、請求項４に記載の方法。
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
管板面上に配置される複数の管開口を有する管板の自動検査および試験装置であって、
コアアセンブリであって、
３個の管把持部（５０）を備えた回転把持部ポッド（４０）を含む摺動体部（３０）と、
前記コアアセンブリにヒンジ連結可能に取付けられる工具ヘッド継手（６０）と、
外側ハウジングアクチュエータとを含む前記コアアセンブリと、
左外側ハウジングおよび右外側ハウジングを備えたハウジング部（１０）とを含み、
各外側ハウジングは、１以上の管把持部（２０）を含み、
前記摺動体部は、前記ハウジング部（１０）と相対移動し、
前記コアアセンブリは、前記左外側ハウジングおよび右外側ハウジングの間に配置され、且つ、前記コアアセンブリは、前記回転把持部ポッド（４０）を含み、また、前記左外側ハウジングおよび右外側ハウジングは、前記装置の使用に際して、前記管板面と平行である共通の平面上に位置する上面を有し、且つ、前記管把持部（５０）は、前記回転把持部ポッド（４０）、並びに前記共通の平面と直交する左外側ハウジングおよび右外側ハウジングから持ち上がり、
前記コアアセンブリのアクチュエータは、前記上面が前記共通の平面内に留まるように、前記左外側ハウジングおよび右外側ハウジングを前記コアアセンブリと相対移動させる、装置。
【請求項２】
前記工具ヘッド継手（６０）は、前記摺動体部または前記ハウジング部の一方の一部であるか、
前記工具ヘッド継手（６０）は、前記管板の管への挿入のために渦電流試験プローブを含む工具ヘッドを支持するか、または
前記工具ヘッド継手（６０）は、管修理機器を含む工具ヘッドを支持する、請求項１に記載の装置。
【請求項３】
マシンビジョン（６３，６４）を更に備える、請求項１に記載の装置。
【請求項４】
前記ハウジング部に４個の管把持部（２０）を含む、請求項１に記載の装置。
【請求項５】
前記管把持部は、
空気圧式アクチュエータと、
把持部シュー（１１０）と、
展開および引き込み位置を検知するセンサと
を含む、請求項１に記載の装置。
【請求項６】
前記管の把持部シュー（１１０）は、管から離れるように向けられる反力によって、前記管の内壁に接して固定され、
前記管把持部は、前記把持部シューと連通するばね付勢リトラクタを含み、
前記把持部シューは、管接触面および内面を有し、且つ、前記管把持部は更に、把持部シュー嵌め合い面および把持部シュー摩擦低減体を含み、該把持部シュー摩擦低減体は、前記把持部シューの管接触面を、前記管の壁に接した状態で摺動させるために必要とされるよりも、前記把持部シューを、前記把持部シュー嵌め合い面に沿って摺動させるために、より小さい力が必要とされるように、前記把持部シューの内面および前記把持部シュー嵌め合い面間における摩擦を低減させる、請求項５に記載の装置。
【請求項７】
シリアルネットワークによって相互接続される複数の電子モジュールを更に備える、請求項１に記載の装置。
【請求項８】
前記シリアルネットワークはまた、前記装置を外部制御装置と接続させる、請求項７に記載の装置。
【請求項９】
前記工具ヘッド継手（６０）は、渦電流試験プローブおよび管修理機器を交互に支持する、請求項１に記載の装置。
【請求項１０】
前記管把持部の各々は、
アクチュエータと、
把持部シュー（１１０）とを含み、
前記把持部シュー（１１０）は、管接触面および内面を有し、且つ、前記管把持部は更に、把持部シュー嵌め合い面および把持部シュー摩擦低減体を含み、該把持部シュー摩擦低減体は、前記把持部シューの管接触面を、前記管の壁に接して摺動させるために必要とされるよりも、前記把持部シューを、前記把持部シュー嵌め合い面に沿って摺動させるために、より小さい力が必要とされるように、前記把持部シューの内面および前記把持部シュー嵌め合い面間における摩擦を低減させる、請求項１に記載の装置。
【請求項１１】
少なくとも２個の前記回転把持部ポッド（４０）の管把持部（５０）が、管へ固定され、且つ、前記外側ハウジングの管把持部のいずれもが、管へ挿入されていない時に、前記回転把持部ポッド（４０）は、前記装置を、前記管板面と直交する軸周りに回転させるように動作させられるか、
前記外側ハウジングアクチュエータは、前記外側ハウジングを、前記管板面と平行に前記管板を横切り移動させるように動作させられるか、または、
前記外側ハウジングアクチュエータは、前記コアアセンブリを、前記管板面と平行に前記管板を横切り移動させるように動作させられる、請求項１に記載の装置。
【請求項１２】
シリアルネットワークによって相互接続される複数の電子モジュールを更に備え、前記シリアルネットワークは、また、前記装置を、外部制御装置と接続させる、請求項１に記載の装置。
【請求項１３】
前記シリアルネットワークは、また、インストーラ機器を、前記外部制御装置と接続させる、請求項１２に記載の装置。
【請求項１４】
前記装置は、
挿入アクチュエータと、
把持部シューアクチュエータとを備え、
前記挿入アクチュエータおよび前記把持部シューアクチュエータは、
前記装置が前記管へ挿入される第１期間に、前記挿入アクチュエータを動作させること、
前記把持部シューアクチュエータを第２期間に動作させること、
前記管内における前記装置の位置を感知すること、
前記第１および第２期間の少なくとも一方に、前記装置を引き込ませて、該装置を異なる値で再挿入することにより、前記管内における前記アクチュエータの位置を調整することを実行するように構成される、請求項５に記載の装置。
【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
患者が、免疫原性組成物の投与を含んでなる治療法に治療的に応答するかどうかを試験するためのｅｘ  ｖｉｖｏ法であって、
前記患者から取得された血液試料中のｓＩＣＡＭ−１レベルを測定すること
を含んでなり、
低レベルのｓＩＣＡＭ−１が、免疫原性組成物に対する予防的または治療的応答を前記患者が発生させることを示し、低レベルのｓＩＣＡＭ−１が、約３００ｎｇ／ｍｌ未満である、方法。
【請求項２】
前記低レベルのｓＩＣＡＭ−１が、約２５０ｎｇ／ｍｌ未満のレベルである、請求項１に記載の方法。
【請求項３】
前記低レベルのｓＩＣＡＭ−１が、約２２４ｎｇ／ｍｌ未満のレベルである、請求項１に記載の方法。
【請求項４】
前記低レベルのｓＩＣＡＭ−１が、約２００ｎｇ／ｍｌ未満のレベルである、請求項１に記載の方法。
【請求項５】
前記治療法が癌の治療法である、請求項１〜４のいずれか一項に記載の方法。
【請求項６】
前記ｓＩＣＡＭ−１のレベルが、Ｌｕｍｉｎｅｘ技術または酵素結合免疫吸着測定法で測定される、前記請求項のいずれか一項に記載の方法。
【請求項７】
前記ｓＩＣＡＭ−１のレベルが、抗体を用いて決定される、先行するいずれかの請求項に記載の方法。
【請求項８】
前記血液試料が、全血試料、血漿、または血清からなる群から選択される、先行するいずれかの請求項に記載の方法。
【請求項９】
前記免疫原性組成物が、少なくとも１つの標的抗原の全部または一部を含有する、先行するいずれかの請求項に記載の方法。
【請求項１０】
前記免疫原性組成物が、少なくとも１つの異種性ヌクレオチド配列の全部または一部をｉｎ  ｖｉｖｏで発現する少なくとも１つの組換えベクターを含有する、先行するいずれかの請求項に記載の方法。
【請求項１１】
前記組換えベクターが、ウイルスベクターである、請求項１０に記載の方法。
【請求項１２】
前記ウイルスベクターが、複製可能である、請求項１１に記載の方法。
【請求項１３】
前記ウイルスベクターが、複製欠損である、請求項１１に記載の方法。
【請求項１４】
前記組換えベクターが、組換えアデノウイルスベクターである、請求項１０〜１３のいずれか一項に記載の方法。
【請求項１５】
前記組換えベクターが、組換えワクシニアベクターである、請求項１０〜１３のいずれか一項に記載の方法。
【請求項１６】
前記組換えベクターが、組換えＭＶＡベクターである、請求項１５に記載の方法。
【請求項１７】
前記患者が、化学療法剤で治療される患者である、先行するいずれかの請求項に記載の方法。
【請求項１８】
免疫原性組成物を投与することによる予防的応答または治療的応答の発生に対して、患者が感受性であるかどうかを予測するためのバイオマーカーとしての、血液試料中のｓＩＣＡＭ−１レベルの使用。
【請求項１９】
患者が、免疫原性組成物の投与を含んでなる治療法に治療的に応答するかどうかを試験するためのキットであって、
前記患者に由来する血液試料中のｓＩＣＡＭ−１レベルを決定するための抗体と、  低レベルのｓＩＣＡＭ−１が、前記免疫原性組成物に対する予防的または治療的応答を前記患者が発生させることを示し、低レベルのｓＩＣＡＭが約３００ｎｇ／ｍｌ未満のレベルであることを記載する、取得データを解釈するための説明書と
を含んでなる、キット。
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
シグナリングデバイスと受信機位置との間の信号が移動する距離を決定する際に使用するための信号を伝達するための信号送信デバイスであって、比較的一定のパルス強度を有する一連のプリアンブルパルスと、所定のパルス強度パターンに従って一連の本体パルスにわたって変わる様々なパルス強度を有する前記一連の本体パルスとを含む、パルストレインを送信するように動作可能なソース送信機を備える、信号送信デバイス。
【請求項２】
前記ソース送信機が、漸進的に増大するパルス強度を有する一連の本体パルスを生成するように動作可能である、請求項1に記載のデバイス。
【請求項３】
前記ソース送信機が、漸進的に減少するパルス強度を有する一連の本体パルスを生成するように動作可能である、請求項1および2に記載のデバイス。
【請求項４】
前記パルストレインが、メッセージを表すデータストリームを形成し、前記一連のプリアンブルパルスが、共通の搬送周波数と、前記メッセージの所定のプリアンブルセグメントに対応するパターンとを有し、前記一連の本体パルスが、前記メッセージの本体セグメントを表し、前記本体パルスが、前記プリアンブルパルスと共通の搬送周波数を含む、請求項1から3のいずれかに記載のデバイス。
【請求項５】
前記ソース送信機が、固定パターンまたは変化するパターンに従って、一連の本体パルス中のパルスごとに異なるパルス強度を有する一連の本体パルスを生成するように動作可能である、請求項1から4のいずれかに記載のデバイス。
【請求項６】
前記ソース送信機が、近赤外線、遠赤外線、可視光線、レーザ光線、紫外線、高周波無線、超音波、ならびにそれらの組合せおよび変調を含む搬送周波数を用いて動作可能である、請求項1から5のいずれかに記載のデバイス。
【請求項７】
前記プリアンブルセグメントが、前記ソース送信機に割り当てられた、1つまたは複数の一意のデータフィールド符号語を含む一意の識別を含む、請求項1から6のいずれかに記載のデバイス。
【請求項８】
前記送信機が、ポインティングデバイスに固定され、前記電子回路が、前記ポインティングデバイスが前記ディスプレイデバイス上でカーソルを移動させるように動作可能なように、ディスプレイデバイスを有するパーソナルコンピュータに動作可能に関連付けられた入力デバイスと結合される、請求項1から7のいずれかに記載のデバイス。
【請求項９】
プロセッサをさらに備え、前記プロセッサが、冪関数R(x)=xに従って、測距セグメント波形を含む信号波形の前記生成を制御するように構成され、式中、R(x)が電力レベルであり、xがゼロからNまで増大するパルス数であり、Nが最大電力レベルである、請求項1から8のいずれかに記載のデバイス。
【請求項１０】
プロセッサをさらに備え、前記プロセッサが、冪関数R(x)=N-xに従って、測距セグメント波形を含む信号波形の前記生成を制御するように構成され、式中、R(x)が電力レベルであり、xはゼロからNまで増大するパルス数であり、Nが最大電力レベルである、請求項1から8のいずれかに記載のデバイス。
【請求項１１】
前記送信機デバイスが、光スイッチ中に組み込まれており、コンピュータインターフェースが、マウス、ティルト型ジョイスティック、ポインタコントローラ、6自由度インターフェース、またはジェスチャインターフェースを含む、請求項1から10のいずれかに記載のデバイス。
【請求項１２】
前記送信機が外科用器具中に組み込まれている、請求項1から10のいずれかに記載のデバイス。
【請求項１３】
前記送信機が、産業用ロボット、ゴルフマット、または速度測定デバイス中に組み込まれている、請求項1から10のいずれかに記載のデバイス。
【請求項１４】
信号が移動する距離を決定するための前記信号を、信号送信デバイスから受信するための信号受信デバイスであって、前記信号を受信するように動作可能な受信機を備え、前記信号が、比較的一定のパルス強度を有する一連のプリアンブルパルスと一連の本体パルスとを含むパルストレインを含み、前記本体パルスが、所定のパルス強度パターンに従って前記一連の本体パルスにわたって変わるパルス強度を有し、前記受信機が、前記本体パルスの前記パルス強度から前記距離を識別する、信号受信デバイス。
【請求項１５】
前記受信機が、所定の本体パルス強度しきい値を超える、前記パルストレイン中で受信された本体パルスをカウントするように動作可能であり、前記カウントが、前記距離を示す、請求項14に記載のデバイス。
【請求項１６】
信号送信機と信号受信機との間の距離範囲を探知するためのシステムであって、
a.所定のパルス強度パターンに従って前記一連のパルスにわたって変わるパルス強度を有する一連のパルスを含むパルストレインを有する測距信号を送信するように動作可能な信号送信機と、
b.前記パルストレインを受信するように動作可能な信号受信機と、
c.所定のパルス強度しきい値を超える、前記パルストレイン中で受信された前記パルスを識別し、前記所定のパルス強度しきい値を超える、前記パルストレイン中で受信された前記パルスを距離範囲値と関連付けるために、前記受信機と通信するように動作可能な1つまたは複数の信号プロセッサと
を備えるシステム。
【請求項１７】
前記送信された測距信号は、オブジェクトで反射され、前記距離範囲値は、前記信号送信機、前記オブジェクト、および前記信号受信機間の前記測距信号が移動する距離を示す、請求項16に記載のシステム。
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
セルロースエステル；
ワックス；
可塑剤；及び
溶媒
を含む、デンプン系組成物と共に用いるためのコーティング組成物。
【請求項２】
セルロースエステル；
ワックス；
生分解性ポリマー；及び
溶媒
を含む、デンプン系組成物と共に用いるためのコーティング組成物。
【請求項３】
セルロースエステル；
生分解性ポリマー；
離型剤；
溶媒；
を含み、さらにワックスを含んでいてもよい、
デンプン系組成物と共に用いるためのコーティング組成物。
【請求項４】
コーティング；及び
デンプン、セルロース、セルロース誘導体及びＰＬＡからなる群から選択される基材
を含み、
コーティングは
セルロースエステル；
ワックス；
可塑剤；及び
溶媒
を含む物品。
【請求項５】
セルロースエステルが酢酸プロピオン酸セルロース、酢酸酪酸セルロース、酢酸セルロース又はニトロセルロースを含む、請求項１ないし３のいずれか１項に記載のコーティング組成物。
【請求項６】
セルロースエステルが酢酸プロピオン酸セルロース、酢酸酪酸セルロース、酢酸セルロース又はニトロセルロースを含む、請求項４に記載の物品。
【請求項７】
ワックスがオレイン酸アミド又はＮ，Ｎ’−エチレン−ビス−オレアミドを含む、請求項１ないし３のいずれか１項に記載の組成物。
【請求項８】
ワックスがオレイン酸アミド又はＮ，Ｎ’−エチレン−ビス−オレアミドを含む、請求項４に記載の物品。
【請求項９】
さらにロジンを含み、ロジンが二量化ロジン又は部分的に二量化したロジンのグリセリンエステルを含む、請求項１又は２に記載の組成物。
【請求項１０】
コーティングがロジンをさらに含み、ロジンは二量化ロジン又は部分的に二量化したロジンのグリセリンエステルを含む、請求項４に記載の物品。
【請求項１１】
生分解性ポリマーがポリ酢酸ビニルポリマー、ポリ乳酸ポリマー又はポリビニルブチラールポリマーを含む、請求項２又は３に記載の組成物。
【請求項１２】
生分解性ポリマーがポリ（酢酸ビニル−エチレン）コポリマーを含み、セルロースエステル成分が酢酸プロピオン酸セルロースを含む、請求項２又は３に記載の組成物。
【請求項１３】
溶媒が酢酸メチル、酢酸エチル、酢酸プロピル、酢酸ブチル、エタノール、プロパノール、アセトン、水、又は炭化水素を含む、請求項１ないし３及び１２のいずれか１項に記載の組成物。
【請求項１４】
溶媒が酢酸メチル、酢酸エチル、酢酸プロピル、酢酸ブチル、エタノール、プロパノール、アセトン、水、又は炭化水素を含む、請求項４に記載の物品。
【請求項１５】
セルロースエステルが酢酸プロピオン酸セルロースを含み；
ワックスがオレイン酸アミドを含むアミドワックスであり；
生分解性ポリマーがポリ酢酸ビニルポリマー、ポリ乳酸ポリマー又はポリビニルブチラールポリマーを含み；及び
溶媒が酢酸メチル、酢酸エチル、酢酸プロピル、酢酸ブチル、エタノール、プロパノール、アセトン、水、又は炭化水素を含む、
請求項２に記載の組成物。
【請求項１６】
生分解性ポリマーが、ポリ（酢酸ビニル）ポリマー又はポリ（酢酸ビニル−エチレン）の水性ラテックスを含む、請求項１５に記載の組成物。
【請求項１７】
生分解性ポリマーがポリ乳酸ポリマーを含む、請求項１５に記載の組成物。
【請求項１８】
可塑剤がクエン酸エステル、トリアセチン又はトリブチリンを含む、請求項１に記載の組成物。
【請求項１９】
可塑剤がクエン酸エステル、トリアセチン又はトリブチリンを含む、請求項４に記載の物品。
【請求項２０】
さらに可塑剤を含み、該可塑剤はクエン酸エステル、トリアセチン又はトリブチリンを含む、請求項２に記載の組成物。
【請求項２１】
離型剤がリン脂質又は中程度の鎖のトリグリセリドを含む、請求項３に記載の組成物。
【請求項２２】
生分解性ポリマーが最後に添加される、請求項１５に記載の組成物を製造する方法。
【請求項２３】
組成物がアミドワックスの融点を超えて加熱されない、請求項１５に記載のコーティング組成物を製造する方法。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
最上部フィルムと、装飾光沢模様とを備えるインモールド装飾積層体であって、前記最上部フィルムは、脂環式ポリアミド、芳香族ポリアミド、およびポリエステルからなる群から選ばれる半晶質ポリマーである、インモールド装飾積層体。
【請求項２】
前記最上部フィルムが、非結晶ＰＥＴから選ばれる半晶質ポリマーである、請求項１に記載のインモールド装飾積層体。
【請求項３】
前記半晶質ポリマーフィルムは、脂環式ジアミンとドデカン二酸モノマーとの反応によって製造される、請求項１に記載のインモールド装飾積層体。
【請求項４】
前記半晶質フィルムの厚さが、０．１μｍから５ｍｍ、好適には２．５４μｍ（０．１ｍｉｌ）から０．０５０８ｍｍ（２０ｍｉｌ）、より好適には２．５４μｍ（０．１ｍｉｌ）から０．０３８１ｍｍ（１５ｍｉｌ）である、請求項１に記載のインモールド装飾積層体。
【請求項５】
前記装飾光沢模様の底面に貼付された熱可塑性層をさらに含む、請求項１に記載のインモールド装飾積層体。
【請求項６】
前記熱可塑性層はＡＢＳからなる、請求項５に記載のインモールド装飾積層体。
【請求項７】
前記熱可塑性層の厚さが、０．１μｍから０．０５１ｍｍ（２０ｍｉｌ）である、請求項５又は６に記載のインモールド装飾積層体。
【請求項８】
前記半晶質フィルムの最上部表面にキャリアフィルムを更に含む、請求項１に記載のインモールド装飾積層体。
【請求項９】
前記キャリアフィルムは、ポリエステルフィルム又はポリアミドフィルムである、請求項８に記載のインモールド装飾積層体。
【請求項１０】
前記キャリアフィルムの表面粗さが1００ｎｍ未満、好適には３０ｎｍ未満、より好適には１５ｎｍである、請求項８又は９に記載のインモールド装飾積層体。
【請求項１１】
半晶質ポリマーフィルムを調製する工程と、
前記半晶質ポリマーフィルムの底面上に装飾光沢模様を印刷する工程と、
前記半晶質ポリマーフィルムの結晶性構造を最適化する工程と、
を含むインモールド装飾積層体の製造方法であって、
前記ポリマーフィルムが、Ｆｏｒｄ  ＤＶＭ−００３９−ＭＡの７４℃での虫除け剤試験によって等級「１」（損傷なし）を有する、インモールド装飾積層体の製造方法。
【請求項１２】
前記半晶質ポリマーフィルムが、プロセス後の処理を受ける前に部分的に結晶化されている、請求項１１に記載の製造方法。
【請求項１３】
前記半晶質ポリマーフィルムは、プロセス後の処理を受ける前は全体的に非晶質である、請求項１１に記載の製造方法。
【請求項１４】
前記半晶質ポリマーフィルムの結晶化度または結晶含有量が、プロセス後の処理の後に著しく増大する、請求項１１に記載の製造方法。
【請求項１５】
前記処理が表面全体、或いは、離散した領域に対して行われる、請求項１４に記載の製造方法。
【請求項１６】
前記処理の深さが最上面から底面に至る範囲である、請求項１４に記載の製造方法。
【請求項１７】
前記処理された領域がフィルム面の上方又はフィルム面の下方である、請求項１４に記載の製造方法。
【請求項１８】
前記処理は、熱処理、溶剤処理、プラズマ処理、又はレーザー処理で構成される、請求項１４に記載の製造方法。
【請求項１９】
前記処理が、装飾光沢の印刷前、装飾光沢の印刷中、装飾光沢の印刷後かつインモールドプロセス前、インモールドプロセス中、又はインモールドプロセス後に行われる、請求項１４に記載の製造方法。